(57)【要約】【課題】多層階床における熱媒の液漏れを防止できるとともに、多層階床やその下階の天井の点検口の設置を不要とすることが可能な床暖房システムを提供すること。【解決手段】ユニット建物Ｈの２階の床部２０の床下空間３４に設けられ、温水が循環される放熱管５３を備えた放熱体５０と、温水を加熱するとともに、放熱管５３に接続管７０を介して接続されて放熱体５０との間で温水を循環させる熱源としてのヒートポンプ６１，６２と、を備え、放熱体５０の放熱管５３の放熱管延長部５３ａ，５３ｂが、ユニット建物Ｈの１階の床下空間３１に延在されて、放熱管５３と接続管７０との接続部としての単独接続部８１および分岐接続部８２が、１階の床下空間３１に設けられている床暖房システムとした。【選択図】図１
2018179409.tif 000002
【特許請求の範囲】
【請求項１】
建物の２階以上に設けられた多層階床の床下空間に設けられ、熱媒が循環される循環路を備えた放熱体と、
前記熱媒を加熱するとともに、前記循環路に接続管路を介して接続されて前記放熱体との間で熱媒を循環させる熱源と、
を備え、
前記放熱体の循環路が、前記建物の１階の床下に延在されて、前記循環路と接続管路との接続部が、前記１階の床下に設けられていることを特徴とする床暖房システム。
【請求項２】
請求項１に記載の床暖房システムにおいて、
前記放熱体は、上下のシート状部材の間に前記循環路を配索してシート状に形成され、
前記循環路は、前記放熱体に配索された部分と、前記放熱体の端部から前記１階の床下まで延在された延長部とが一体に連続して形成されていることを特徴とする床暖房システム。
【請求項３】
請求項１または請求項２に記載の床暖房システムにおいて、
前記放熱体および前記循環路が複数並設され、
前記循環路が、前記熱源に対して並列に接続されていることを特徴とする床暖房システム。
【請求項４】
請求項３に記載の床暖房システムにおいて、
前記熱源が複数設けられ、
複数の前記放熱体および前記循環路が、少なくとも１つの前記熱源に対して並列に接続されていることを特徴とする床暖房システム。
【請求項５】
請求項１〜請求項４のいずれか１項に記載の床暖房システムにおいて、
前記放熱体の下側に断熱材が設けられていることを特徴とする床暖房システム。
【請求項６】
請求項１〜請求項５のいずれか１項に記載の床暖房システムを備えていることを特徴とする建物。
【請求項７】
請求項１〜請求項５のいずれか１項に記載の床暖房システムを備えていることを特徴とするユニット建物。
【発明の詳細な説明】
【技術分野】
【０００１】
本開示は、床暖房システム、この床暖房システムを備えた建物およびこの床暖房システムを備えたユニット建物に関するものである。
【背景技術】
【０００２】
従来から、建物の２階以上の多層階床の床下空間に薄型の暖房装置を設置して、２階以上の多層階でも床暖房を行えるようにした床暖房システムが知られている（例えば、特許文献１参照）。
この従来技術は、建物の床下空間において、この床下空間を形成する床材を支持する金属製の床支持材の下部に、放熱体が設けられている。そして、放熱体は、熱媒を循環させる循環路が、放熱体の全体に波形状に折り返して配設された構造となっている。
【先行技術文献】
【特許文献】
【０００３】
【特許文献１】特開２０１２−１２２６５６号公報
【発明の概要】
【発明が解決しようとする課題】
【０００４】
しかしながら、従来技術では、放熱体の循環路は、放熱体のみに設けられ、熱源から熱媒を供給する接続管路が、２階の床下の放熱体の近傍まで延在されて、放熱体の循環路に接続された構造となっていた。
【０００５】
このため、接続管路と放熱体の循環路との接続部に接続不良などが生じた場合、１階の天井に熱媒漏れが生じるおそれがあった。また、そのような不具合が生じた場合の対策として、２階の床もしくは１階の天井に、点検口を設ける必要があり、その分、部品点数が増して製造費用が増すとともに、外観品質の悪化を招くおそれがあった。さらに、２階の床に点検口を設けた場合には、その上に家具などを置くことができず、室内レイアウトの自由度を低下させていた。
【０００６】
本開示は、上述の問題に着目して成されたもので、多層階床における熱媒漏れを防止できるとともに、多層階床やその下階の天井の点検口の設置を不要とすることが可能な床暖房システム、この床暖房システムを備えた建物およびこの床暖房システムを備えたユニット建物を提供することを目的としている。
【課題を解決するための手段】
【０００７】
前記目的を達成するために、本発明の床暖房システムは、
建物の２階以上に設けられた多層階床の床下空間に設けられ、熱媒が循環される循環路を備えた放熱体と、
前記熱媒を加熱するとともに、前記循環路に接続管路を介して接続されて前記放熱体との間で熱媒を循環させる熱源と、
を備え、
前記放熱体の循環路が、前記建物の１階の床下に延在されて、前記循環路と接続管路との接続部が、前記１階の床下に設けられていることを特徴とする床暖房システムとした。
【０００８】
なお、前記放熱体は、上下のシート状部材の間に前記循環路を配索してシート状に形成され、前記循環路は、前記放熱体に配索された部分と、前記放熱体の端部から前記１階の床下まで延在された延長部とが一体に連続して形成されていることが好ましい。
また、前記放熱体および前記循環路が複数並設され、前記循環路が、前記熱源に対して並列に接続されていてもよい。
さらに、前記熱源が複数設けられ、複数の前記放熱体および前記循環路が、少なくとも１つの前記熱源に対して並列に接続されていてもよい。
そして、前記放熱体の下側に断熱材が設けられていてもよい。
【０００９】
また、上記床暖房システムを備えている建物としてもよい。
そして、上記床暖房システムを備えているユニット建物としてもよい。
さらに、工場で予め、天井材の上面に断熱材が設けられ、この断熱材の上面に放熱体が設けられている建物ユニットとしてもよい。
【発明の効果】
【００１０】
本開示の床暖房システムでは、接続部において接続不良による熱媒漏れが生じた場合、その漏れは、１階の床下で生じる。したがって、下階の天井に熱媒が漏れて、天井を痛めたり、その外観品質を低下させたりすることは無いとともに、そのメンテナンス作業も１階床下の作業となり、作業性に優れる。さらに、多層階の床や、その下階の天井の点検口が不要となり、その分、コスト低減および外観品質の悪化抑制を図ることができるとともに、室内レイアウトの自由度を向上可能となる。
【００１１】
さらに、循環路の放熱体に配索された部分と、１階の床下まで延在された延長部とが一体に連続して形成されているものでは、循環路の全体に亘り継目を無くして、熱媒漏れをより確実に防止することができる。
また、熱源を複数設けたものでは、熱源が１個のものと比較して、複数の放熱体および循環路に供給する熱媒温度を高く保持でき、高い暖房性能を得ることができる。
そして、放熱体の下側に断熱材が設けられたものでは、放熱体の熱により、下階の天井が熱により変形するのを抑制することができる。
【００１２】
また、本開示の建物、ユニット建物では、上記効果を奏する床暖房システムを備えた建物、ユニット建物を提供することができる。
【図面の簡単な説明】
【００１３】
【図１】本発明の実施の形態１の床暖房システムが設置されたユニット建物の縦断面を示す概略図である。
【図２Ａ】実施の形態１の床暖房システムが設置された建物ユニットの２階の床部における放熱体の配置を示す配置説明図である。
【図２Ｂ】実施の形態１の床暖房システムの放熱体とヒートポンプとの接続状態を模式的に示す接続説明図である。
【図３】実施の形態１の床暖房システムにおける２階の床部を示す断面図である。
【図４Ａ】実施の形態１の床暖房システムにおける放熱体を示す断面図である。
【図４Ｂ】実施の形態１の床暖房システムにおける放熱体を示す分解斜視図である。
【図４Ｃ】実施の形態１の床暖房システムにおける放熱体の放熱体モジュールの接続状態の説明図である。
【図５Ａ】実施の形態１の床暖房システムにおける単独接続部を示す断面図である。
【図５Ｂ】実施の形態１の床暖房システムにおける分割接続部を示す断面図である。
【図６】実施の形態１の床暖房システムにおける基礎スリーブ部の断面図である。
【発明を実施するための形態】
【００１４】
以下、本発明の実施の形態について図面を参照して説明する。
（実施の形態１）
［ユニット建物の構成］
まず、図１および図２を参照しながら実施の形態１の床暖房システムＡを設置したユニット建物Ｈの全体構成について説明する。
【００１５】
図１は、実施の形態１の床暖房システムＡを備えたユニット建物Ｈの概略構成を示す縦断面図（図２のＳ１−Ｓ１線の位置での断面）、図２Ａはユニット建物Ｈの２階床下の放熱体の配置を示す平面図である。
【００１６】
このユニット建物Ｈは、図１に示すように、基礎コンクリートＢの上に、１階の建物ユニットＵ１と２階の建物ユニットＵ２とを組み付けて構築されている。
そして、このようにして構築されたユニット建物Ｈは、外壁部ＷＬと、その外壁部ＷＬの上端開口を塞ぐ天井部Ｒｆとが形成される。
また、ユニット建物Ｈは、１階の床部１０によって１階の床下空間３１と床上空間３２とが区画され、２階の床部２０により、１階の床上空間３２と２階の床上空間３３とに区画されている。
【００１７】
また、２階の床部２０は、建物ユニットＵ２の構築時に工場において予め、図３に示すように、床材２１が金属製の床支持材としての床小梁２２，・・・により支持された構造となっている。
さらに、２階の床部２０と１階の天井部４０との下には、２階の床下空間３４が形成されている。また、この天井部４０には、１階の建物ユニットＵ１の天井梁４１および天井材４２が設けられている。
なお、１階の建物ユニットＵ１では、天井材４２の上側に、グラスウールなどの断熱材４３が設けられ、さらに断熱材４３の上面に、床暖房システムＡの構成要素であるシート状の放熱体５０が設けられている。
【００１８】
［床暖房システムの構成］
次に、床暖房システムＡの構成について説明する。
図１に示すように、床暖房システムＡは、放熱体５０と熱源としてのヒートポンプ６１，６２と、ヒートポンプ６１，６２に接続された接続管７０とを備える。
【００１９】
＜放熱体の構成＞
まず、放熱体５０の構成について説明する。
放熱体５０は、図４Ａ，図４Ｂ、図４Ｃに示すように、矩形のシート状部材である熱伝導シート５１と断熱シート５２との間に、放熱管（循環管）５３が、波形状に折り返されて配設されて形成されている。なお、熱伝導シート５１としては、例えば、アルミシートなどの金属系のシートを用いることができ、断熱シート５２としては、樹脂製のものや発泡樹脂製のものを用いることができる。
【００２０】
また、放熱管５３としては、架橋ポリエチレン製のものが用いられている。なお、架橋ポリエチレンは、軽量、柔軟性を有する、耐食性に優れる、耐衝撃性に優れる、低温特性に優れる、電気特性に優れる（電気腐食を受けない）、耐応力腐食性に優れる、クリープ性能に優れる、耐薬品性に優れる、耐熱老化性に優れるという性質を有する。
【００２１】
さらに、放熱体５０は、適用箇所に応じた面積に形成されている。この場合、図４Ｃに示すように、予め設定された矩形状の熱伝導シート５１と断熱シート５２とから成る放熱体モジュール５０ａを複数直列に連続して配置することで、１つの放熱体５０の図４Ｃにおける左右方向の寸法を調整している。なお、１つの放熱体５０における放熱管５３は、放熱体モジュール５０ａの数に限らず１本のもので形成されており、放熱体モジュール５０ａどうしの間等の途中に継目や接続部分を有しない構造としている。
【００２２】
そして、放熱体５０は、上述のように放熱管５３を波形状に折り返して配設しているため、矩形の両端に放熱管５３の一端が配置されている。さらに、各放熱管５３の端部は、放熱体５０の熱伝導シート５１と断熱シート５２とに挟まれた部分から外部に延長された放熱管延長部５３ａ，５３ｂを備えている。なお、図において管に沿って記載された矢印は、熱媒としての温水の循環方向を示し、放熱管延長部５３ａが温水の送り側（供給側）に延長されたもので、放熱管延長部５３ｂが温水の戻り側（還流側）に延長されたものである。
【００２３】
＜放熱体の配置＞
次に、２階の床部２０における放熱体５０の配置について説明する。
図２Ａは、ユニット建物Ｈの２階の平面図において放熱体５０の配置の概略を示す配置説明図、図２Ｂは接続管７０による放熱体５０と第１のヒートポンプ６１および第２のヒートポンプ６２との接続状態を模式的に示す接続説明図である。
【００２４】
放熱体５０は、図２Ａに示すように、２階の床部２０の複数箇所に設置されている。これらの放熱体５０は、図において左右方向に並設された２つの放熱体５０を一組として、第１放熱体５０Ａ−１，５０Ａ−２、第２放熱体５０Ｂ−１，５０Ｂ−２、第３放熱体５０Ｃ−１，５０Ｃ−２、第４放熱体５０Ｄ−１，５０Ｄ−２、第５放熱体５０Ｅ−１，５０Ｅ−２、第６放熱体５０Ｆ−１，５０Ｆ−２が設けられている。また、これらを総称する場合には、単に放熱体５０と称し、一方、左右で一組のものを１単位として称する場合は、−１，−２の表記は省略して第１〜第６放熱体５０Ａ〜５０Ｆと表記する。
【００２５】
なお、図示のように、各放熱体５０は、図において左右方向の両端のそれぞれから放熱管５３の一端である、放熱管延長部５３ａ，５３ｂが、１階の床下空間３１（図１参照）まで延長されている。
【００２６】
＜放熱管部と接続管との接続＞
上述のように１階の床下空間３１に延長された放熱管５３の各放熱管延長部５３ａ，５３ｂは、それぞれ、接続管７０を介して第１のヒートポンプ６１と第２のヒートポンプ６２とのいずれかに接続されている。
【００２７】
接続管７０は、接続対象である第１〜第６放熱体５０Ａ〜Ｆの各放熱管延長部５３ａ，５３ｂに対応して、第１接続管７０Ａａ，７０Ａｂ、第２接続管７０Ｂａ，７０Ｂｂ、第３接続管７０Ｃａ，７０Ｃｂ、第４接続管７０Ｄａ，７０Ｄｂ、第５接続管７０Ｅａ，７０Ｅｂ、第６接続管７０Ｆａ，７０Ｆｂが設けられている。これらも、総称する場合は、接続管７０と称する。また、符号の小文字のａは、温水の送り側のものを示し、ｂが戻り側のものを示す。
【００２８】
上記接続を詳細に説明すると、第１放熱体５０Ａ−１、５０Ａ−２の放熱管延長部５３ａ，５３ｂは、第１接続管７０Ａａ，７０Ａｂを介して第１のヒートポンプ６１に接続されている。第２放熱体５０Ｂ−１，５０Ｂ−２の放熱管延長部５３ａ，５３ｂが、第２接続管７０Ｂａ，７０Ｂｂを介して第１のヒートポンプ６１に接続されている。
【００２９】
ここで、第１放熱体５０Ａ、第２放熱体５０Ｂの放熱管延長部５３ａ，５３ｂは、それぞれ、単独接続部８１を介して第１接続管７０Ａ、第２接続管７０Ｂに接続されている。
この単独接続部８１は、図５Ａに示すように、単独の放熱管延長部５３ａ（５３ｂ）と、単独の接続管７０とがジョイントソケット１１０を介して接続されたものである。すなわち、１：１の接続となっている。
【００３０】
第３放熱体５０Ｃ−１，５０Ｃ−２の放熱管延長部５３ａ，５３ｂは、第３接続管７０Ｃａ，７０Ｃｂを介して第２のヒートポンプ６２に接続されている。
この第３放熱体５０Ｃ−１，５０Ｃ−２の放熱管延長部５３ａ，５３ｂと第３接続管７０Ｃａ，７０Ｃｂとの接続は、分岐接続部８２を介した接続とされている。この分岐接続部８２は、図５Ｂに示すように、三つ又の分岐継手１２０を介して１本の接続管７０と、２本の放熱管延長部５３ａ（５３ｂ）とが接続されたものである。
【００３１】
すなわち、第３放熱体５０Ｃの２本の送り側の放熱管延長部５３ａ，５３ａが、分岐接続部８２を介して１本の送り側の第３接続管７０Ｃａと接続されている。また、第３放熱体５０Ｃの２本の戻り側の放熱管延長部５３ｂ，５３ｂが、分岐接続部８２を介して１本の戻り側の第３接続管７０Ｃａと接続されている。
【００３２】
以下に説明する第４放熱体５０Ｄ、第５放熱体５０Ｅ、第６放熱体５０Ｆについても、上記の第３放熱体５０Ｃと同様に、２本の放熱管延長部５３ａ，５３ｂが、１本の接続管７０に接続されている。
すなわち、第４放熱体５０Ｄ−１，５０Ｄ−２の放熱管延長部５３ａ，５３ｂは、第４接続管７０Ｄａ，７０Ｄｂを介して第２のヒートポンプ６２に接続されている。
同様に、第５放熱体５０Ｅ−１，５０Ｅ−２の放熱管延長部５３ａ，５３ｂは、第５接続管７０Ｅａ，７０Ｅｂを介して第２のヒートポンプ６２に接続されている。
同様に、第６放熱体５０Ｆ−１，５０Ｆ−２の放熱管延長部５３ａ，５３ｂは、第６接続管７０Ｆａ，７０Ｆｂを介して第２のヒートポンプ６２に接続されている。
【００３３】
なお、各ヒートポンプ６１，６２は、１階の床部１０に設置された放熱体（図示省略）にも接続されているが、この１階の床部１０に設置された放熱体およびその接続状態については図示を省略する。
【００３４】
前述したように、放熱体５０の放熱管延長部５３ａ，５３ｂは、１階の床下空間３１まで延在されているもので、２階から１階へは、外壁部ＷＬに設けられた配管部９１〜９６を通って配索されている。
【００３５】
なお、各配管部９１〜９６において、図２Ｂに示すように、各配管部９１〜９６において、各放熱管延長部５３ａ，５３ｂは、４本一組で配索されている。なお、配管部９１〜９６について、特定の箇所のものを指さない場合および総称する場合は、配管部９０と表記する。
【００３６】
そして、これらの外壁部ＷＬに設けられた配管部９０にあっては、外壁部ＷＬの内部を上下方向に沿ってさや管９０ａ（図５Ａ、図５Ｂ参照）が配索されており、接続管７０は、このさや管９０ａに挿通されている。
【００３７】
また、接続管７０は、１階の床下空間３１内の配索、および、床下空間３１と外部のヒートポンプ６１，６２との接続にあたり、基礎コンクリートＢの立ち上がり部を貫通されている。この場合、基礎コンクリートＢの立ち上がり部を貫通して設けられた基礎スリーブＳにおいて、図６に示すように、４本の接続管７０を１組として挿通されている。そして、接続管７０の周囲は、シリコンなどのシール材７３が充填され、その外周が遮光テープ７５により巻き付けられている。そして、遮光テープ７５と基礎スリーブＳとの間に外周にモルタル７４が充填されて、基礎スリーブＳが防水状態で塞がれている。
【００３８】
なお、基礎スリーブＳでは、ヒートポンプ６１，６２への交流電力の供給を行う電力線１３０も接続管７０とともに挿通されている。
このように、基礎コンクリートＢの貫通箇所において、接続管７０とともに、電力線１３０も貫通させることにより、作業の効率化を図ることができるとともに、基礎コンクリートＢの強度確保を行うことができる。
【００３９】
（実施の形態のユニット建物の製造方法）
上記のユニット建物Ｈを構築するにあたっては、１階の建物ユニットＵ１の、天井材４２の上面に断熱材４３を設置し、さらに、この断熱材４３の上面に放熱体５０を設置した上で、２階の建物ユニットＵ２を設置する。
したがって、図３に示すように、放熱体５０の上に、２階の建物ユニットＵ２の小梁２２が配置される。
【００４０】
（実施の形態の作用）
次に、実施の形態１の床暖房システムの作用を説明する。
床暖房システムＡの作動時には、各ヒートポンプ６１，６２から送り側の接続管７０Ａａ〜７０Ｆａを通って、熱媒としての温水が、放熱体５０の放熱管５３を通り、戻り側の接続管７０Ａｂ〜７０Ｆｂを通ってヒートポンプ６１，６２へ戻る循環を繰り返す。
【００４１】
これにより、２階の床上空間３３では、放熱体５０からの輻射熱および床小梁２２，・・・を介した伝導熱および床小梁２２，・・・間の暖気の対流による熱により、床暖房が行われる。そして、この際、放熱体５０の下側に断熱材４３が設けられていることから１階の床上空間３２に熱が逃げることなく効率的に床暖房を行うことができるとともに、天井梁４１および天井材４２などへの熱影響を抑えることができる。
しかも、放熱体５０は、複数に分割され、それぞれに、並列に温水が供給されるため、２階の床部２０に温度ムラが生じにくい。
【００４２】
また、このように温水を循環させる構造では、経年劣化や、地震などによるユニット建物Ｈの揺れの影響などにより、特に、各接続部８１，８２において温水漏れが生じるおそれがある。本実施の形態１では、各放熱体５０の放熱管５３は、その放熱管延長部５３ａ，５３ｂを１階の床下空間３１まで延長し、接続管７０と接続する各接続部８１，８２を、１階の床下空間３１に配置した。このため、仮に各接続部８１，８２のいずれかにおいて液漏れが生じても、１階の床部１０および２階の床部２０、１階の天井部４０のいずれにも液漏れによる外観品質の低下が生じることが無いとともに、そのメンテナンス作業も１階床下の作業となり、作業性に優れる。
【００４３】
（実施の形態１の効果）
以下に、本実施の形態１の床暖房システムの効果を列挙する。
１）実施の形態の床暖房システムは、
ユニット建物Ｈの２階以上に設けられた多層階床としての２階の床部２０の床下空間３４に設けられ、熱媒としての温水が循環される循環路としての放熱管５３を備えた放熱体５０と、
温水を加熱するとともに、放熱管５３に接続管路としての接続管７０を介して接続されて放熱体５０との間で温水を循環させる熱源としてのヒートポンプ６１，６２と、
を備え、
放熱体５０の放熱管５３の放熱管延長部５３ａ，５３ｂが、ユニット建物Ｈの１階の床下空間３１に延在されて、放熱管５３と接続管７０との接続部としての単独接続部８１および分岐接続部８２が、１階の床下空間３１に設けられている
ことを特徴とする。
したがって、両接続部８１，８２のいずれかにおいて接続不良による温水の漏れが生じた場合、その漏れは、１階の床下空間３１で生じる。したがって、放熱体５０を設置した下階の天井部４０に温水が漏れて、天井部４０を痛めたり、その外観品質を低下させたりすることは無いとともに、そのメンテナンス作業も１階の床下空間３１の作業となり、作業性に優れる。さらに、２階の床部２０や、その下階の天井部４０の点検口が不要となり、その分、コスト低減および外観品質の悪化抑制を図ることができるとともに、室内レイアウトの自由度を向上可能となる。
【００４４】
２）実施の形態１の床暖房システムは、
放熱体５０は、上下のシート状部材としての熱伝導シート５１と断熱シート５２との間に放熱管５３を配索してシート状に形成され、
放熱管５３は、放熱体５０に配索された部分と、放熱体５０の端部から１階の床下空間３１まで延在された放熱管延長部５３ａ，５３ｂとが一体に連続して形成されていることを特徴とする。
したがって、放熱管５３は全体に亘り継目も無く、２階の床下空間３４や、外壁部ＷＬ内の配管部９０（９１〜９６）における熱媒漏れを、より確実に防止することができる。
【００４５】
３）実施の形態１の床暖房システムは、
放熱体５０および放熱管５３が複数並設され、
放熱管５３が、ヒートポンプ６１，６２に対して並列に接続されていることを特徴とする。
したがって、複数の放熱管５３を直列に接続したものと比較して、各放熱管５３および放熱体５０における温水温度の均一化を図り、２階の床部２０の温度に温度ムラが生じるのを抑制できる。
【００４６】
４）実施の形態１の床暖房システムは、
ヒートポンプ６１，６２が複数設けられ、
複数の放熱体５０および放熱管５３が、
複数の放熱体５０および放熱管５３が、少なくとも１つのヒートポンプ６１（６２）に対して並列に接続されていることを特徴とする。
したがって、熱源が１個のみのものと比較して、複数の放熱体５０および放熱管５３に供給する温水温度を高く保持でき、高い暖房性能を得ることができる。
【００４７】
５）実施の形態１の床暖房システムは、
放熱体５０の下側に断熱材４３が設けられていることを特徴とする。
したがって、放熱体５０の熱による温度影響が、１階の床上空間３２や１階の天井部４０に生じるのを抑制することができる。
【００４８】
６）実施の形態１のユニット建物は、
実施の形態１のいずれかの床暖房システムＡを備えていることを特徴とする。
したがって、上記１）〜５）の効果を奏する床暖房システムを備えたユニット建物を提供することができる。
なお、上記床暖房システムは、ユニット建物以外の建物にも適用することができる。
【００４９】
以上、図面を参照して、本発明の実施の形態を詳述してきたが、具体的な構成は、この実施の形態に限らず、本発明の要旨を逸脱しない程度の設計的変更は、本発明に含まれる。
【００５０】
例えば、実施の形態では、放熱体を設ける多層階床として、２階の床部を例示したが、放熱体は、３階以上の床部に設けてもよい。
また、実施の形態では、床暖房システムをユニット建物に適用した例を示したが、適用する建物は、ユニット建物に限定されるものではなく、例えば、在来工法により建てられた建物に適用することもできるし、住宅以外の建物にも適用することが可能である。
また、熱媒としては温水に限らず、他の液体や気体を用いてもよい。
【００５１】
さらに、放熱体の数および熱源（ヒートポンプ）の数も、実施の形態において示した数に限定されない。また、熱源としてもヒートポンプに限定されず、吸収式冷温水機、ペルチェ素子を用いた加熱冷却装置、液体燃料、気体燃料、電気を用いて加熱するものなどを用いてもよい。
【００５２】
また、実施の形態では、熱源としての複数のヒートポンプのそれぞれに、複数の放熱体が並列に接続されたものを示したが、少なくとも１つ、或いは、全ての熱源に対して複数の放熱体が直列に接続されていてもよい。
また、実施の形態では、放熱体の下側に断熱材が設けられたものを示したが、これに限定されず、断熱材を省略してもよい。
【００５３】
そして、実施の形態では、放熱体をシート状に形成したものを例示したが、放熱体は熱媒の循環路を備え、床を温める構造であれば、シート状のものに限定されない。
また、循環路は、放熱体に配索された部分と、放熱体から延長された放熱管延長部とが、一体に連続したものを示したがこれに限定されず、信頼性の高い接続構成により継目が連結されたものであれば、途中に継目を有していてもよい。
【００５４】
また、実施の形態では、循環路をとしての放熱管として、架橋ポリエチレン製のものを用いたが、熱媒を循環可能な管体であれば、他の樹脂製のものや金属製のものなどを用いることができる。
【００５５】
なお、実施の形態では、断熱材４３および放熱体５０の設置を建築現場で行うものを例示したが、これに限定されるものではない。具体的には、１階の建物ユニットＵ１では、工場で予め、天井材４２の上側に断熱材４３を設置し、さらに断熱材４３の上面に、放熱体５０を設置してもよい。
この場合、建築現場において、断熱材や放熱体の設置が不要となり、建築現場での作業性に優れ、工期短縮が可能となる。
【符号の説明】
【００５６】
Ａ     （実施の形態の）床暖房システム
Ｈ     ユニット建物
Ｕ１   建物ユニット
ＷＬ   外壁部
１０   （１階の）床部
２０   （２階の）床部（多層階床）
３１   （１階の）床下空間
３４   （２階の）床下空間
４０   （１階の）天井部
４３   断熱材
５０   放熱体
５０Ａ−１    第１放熱体
５０Ａ−２    第１放熱体
５０Ｂ−１    第２放熱体
５０Ｂ−２    第２放熱体
５０Ｃ−１    第３放熱体
５０Ｃ−２    第３放熱体
５０Ｄ−１    第４放熱体
５０Ｄ−２    第４放熱体
５０Ｅ−１    第５放熱体
５０Ｅ−２    第５放熱体
５０Ｆ−１    第６放熱体
５０Ｆ−２    第６放熱体
５１   熱伝導体（シート状部材）
５２   断熱シート（シート状部材）
５３   放熱管（循環路）
５３ａ 放熱管延長部（送り側）
５３ｂ 放熱管延長部（戻り側）
６１   （第１の）ヒートポンプ（熱源）
６２   （第２の）ヒートポンプ（熱源）
７０   接続管
７０Ａａ      第１接続管（送り側）
７０Ａｂ      第１接続管（戻り側）
７０Ｂａ      第２接続管（送り側）
７０Ｂｂ      第２接続管（戻り側）
７０Ｃａ      第３接続管（送り側）
７０Ｃｂ      第３接続管（戻り側）
７０Ｄａ      第４接続管（送り側）
７０Ｄｂ      第４接続管（戻り側）
７０Ｅａ      第５接続管（送り側）
７０Ｅｂ      第５接続管（戻り側）
７０Ｆａ      第６接続管（送り側）
７０Ｆｂ      第６接続管（戻り側）
８１   単独接続部
８２   分岐接続部
９０   配管部
【図１】
2018179409.tif 000003
【図２Ａ】
2018179409.tif 000004
【図２Ｂ】
2018179409.tif 000005
【図３】
2018179409.tif 000006
【図４Ａ】
2018179409.tif 000007
【図４Ｂ】
2018179409.tif 000008
【図４Ｃ】
2018179409.tif 000009
【図５Ａ】
2018179409.tif 000010
【図５Ｂ】
2018179409.tif 000011
【図６】
2018179409.tif 000012